(57)【特許請求の範囲】
【請求項１】
乱丁検査機におけるモニター装置であって、バックライトを備えた液晶表示部と、前記バックライトを点灯および消灯するスイッチ部と、前記乱丁検査機に操作情報を入力するための入力部と、前記入力部に配置されて当該入力部の入力状態を表示する発光素子と、前記発光素子を、前記乱丁検査機の検査結果を表示するように点灯制御する発光素子制御部とを有しており、
乱丁検査中に前記バックライトが消灯されているときは、前記発光素子を、乱丁検査結果を表示するように点灯制御することを特徴とする乱丁検査機のモニター装置。
【請求項２】
請求項１において、前記スイッチ部は、前記入力部からの信号が一定時間出力されない場合に前記バックライトを消灯するように動作することを特徴とする乱丁検査機のモニター装置。
【請求項３】
請求項１ないし２のいずれかにおいて、前記複数の入力部にそれぞれ配置された前記発光素子を順に点滅制御することにより検査結果を表示することを特徴とする乱丁検査機のモニター装置。
【請求項４】
乱丁検査機におけるモニター装置の制御方法であって、前記モニター装置は、バックライトを備えた液晶表示部と、前記バックライトを点灯および消灯するスイッチ部と、前記乱丁検査機に操作情報を入力するための入力部と、前記入力部に配置されて当該入力部の入力状態を表示する発光素子と、前記発光素子を、前記乱丁検査機の検査結果を表示するよう点灯制御する発光素子制御部とを有しており、
乱丁検査中に前記バックライトが消灯されているときは、前記発光素子を、乱丁検査結果を表示するように点灯制御することを特徴とする前記モニター装置の制御方法。
【発明の詳細な説明】
【技術分野】
【０００１】
本願発明は，製本機等に使用される乱丁検査機のモニター装置およびその制御方法に関する。
【背景技術】
【０００２】
製本中での乱丁、落丁等を検査する乱丁検査機には、モニターとして液晶表示装置が用いられている。
このような液晶表示装置では、液晶部を視認するためのバックライトが液晶部の背後に配置されており、このバックライトで液晶表示装置の消費電力の７０〜８０％が消費されている。
【０００３】
そこで、製本装置の省資源化やコストダウンのために、装置稼働中には該バックライトを消灯するように制御することが提案されている。（特許文献１）
【先行技術文献】
【特許文献】
【０００４】
【特許文献１】特開平１０−２０２８４４号公報
【発明の概要】
【発明が解決しようとする課題】
【０００５】
特許文献１には、省エネルギーのためバックライトを消灯するとともに、印刷装置の異常を報知するために該バックライトを点滅させることが記載されている。
しかしながら、バックライトの点滅は、バックライトの点灯制御装置に頻繁に起動を掛けることであるから、該点灯制御装置に過度の負担を掛けてしまうこととなるし、点滅表示だけでは印刷装置がどのような状態にあるかを表示するには十分でない。
また、単に異常時のみの報知とすると、丁合装置がどのような状態にあるかを認識させるには十分でないし、状態を認識させようとすると頻繁に点滅させる必要があるから、消費電力の節約にならない。
このため、乱丁検査装置におけるモニター装置において、液晶表示部のバックライトを消灯しても、表示装置として所要の機能を有するモニター装置およびその制御方法が求められている。
【課題を解決するための手段】
【０００６】
このため、本発明は、乱丁検査機におけるモニター装置であって、バックライトを備えた液晶表示部と、前記バックライトを点灯および消灯するスイッチ部と、前記乱丁検査機に操作情報を入力するための入力部と、前記入力部に配置されて当該入力部の入力状態を表示する発光素子と、前記発光素子を、前記乱丁検査機の検査結果を表示するように点灯制御する発光素子制御部とを有しており、
乱丁検査中に前記バックライトが消灯されているときは、前記発光素子を、乱丁検査結果を表示するように点灯制御することを特徴とする乱丁検査機のモニター装置とした。
【０００７】
このように構成したことにより、乱丁検査機が稼働中にバックライトが消灯されるのでエネルギー効率が良いと共に、乱丁検査機の検査結果が、リアルタイムで発光素子の点灯状態により表示されるので、製本装置の作業者が、モニター装置の遠方からでも乱丁検査状態を認識しつつ作業することができ、丁合エラーを見過ごしたり、丁合装置の設定変更を見過ごしたりすることがない。
【０００８】
また本発明は、前記スイッチ部は、前記入力部からの信号が一定時間出力されない場合に前記バックライトを消灯するように動作することを特徴とする乱丁検査機のモニター装置とした。
【０００９】
このように構成したことにより、さらに、作業者がバックライトを消灯する作業をしないことによる無駄の発生を事前に防止することができる。
【００１０】
また本発明は、前記複数の入力部にそれぞれ配置された前記発光素子を順に点滅制御することにより検査結果を表示することを特徴とする乱丁検査機のモニター装置とした。
【００１１】
このように構成したことにより、上記に加えて、乱丁検査機の検査結果が複数の発光素子が順に点滅することで表示されることにより、作業者による検査状態の認識が確実に行われるので、作業者が、丁合エラーを見過ごしたり、丁合装置の設定変更を見過ごしたりすることがない。
【００１２】
また本発明は、乱丁検査機におけるモニター装置の制御方法であって、前記モニター装置は、バックライトを備えた液晶表示部と、前記バックライトを点灯および消灯するスイッチ部と、前記乱丁検査機に操作情報を入力するための入力部と、前記入力部に配置されて当該入力部の入力状態を表示する発光素子と、前記発光素子を、前記乱丁検査機の検査結果を表示するよう点灯制御する発光素子制御部とを有しており、
乱丁検査中に前記バックライトが消灯されているときは、前記発光素子を、乱丁検査結果を表示するように点灯制御することを特徴とする前記モニター装置の制御方法とした。
【００１３】
このように構成したことにより、乱丁検査機が稼働中にバックライトが消灯されるのでエネルギー効率が良いと共に、乱丁検査機の検査結果が、リアルタイムで発光素子の点灯状態により表示されるので、製本装置の作業者が、モニター装置の遠方からでも丁合状態を認識しつつ作業することができ、丁合エラーを見過ごしたり、丁合装置の設定を変更すべき事態を見過ごしたりすることがない。
【発明の効果】
【００１４】
本発明は、このように構成したことにより、乱丁検査機が稼働中にバックライトが消灯されるので消費電力が少なくて済むとともに、乱丁検査機の重要な検査結果が入力装置の発光素子によりリアルタイムで表示されるので、製本装置の作業者が、モニター装置の遠方からでも乱丁検査状態を認識しつつ作業することができ、丁合エラーを見過ごしたり、丁合装置の設定を変更すべき事態を見過ごしたりして、気づかずに丁合不良品を発生させることがない。
【図面の簡単な説明】
【００１５】
【図１】本発明における乱丁検査機と丁合装置との配置図。
【図２】本発明におけるモニター装置の構成図。
【図３】本発明における丁合動作とバックライト消灯とのタイミングの説明図。
【図４】本発明における乱丁検査機の制御ブロック図。
【図５】本発明における乱丁検査機の制御フロー図。
【図６】本発明における発光素子による検査状態の表示例。
【発明を実施するための形態】
【００１６】
本件発明の実施の形態例を、丁合装置での乱丁検査機に応用した例を用いて、以下に説明する。
丁合装置１０は、図１に示すように、それぞれに折丁収納手段１１を有した複数の丁合駒装置１０−１〜ｎを有しており、また、水平方向に延びた回転軸１３、当該回転軸１３を回転駆動する駆動部１６、折り丁収納手段１１を支持する折り丁載台１２、各折り丁収納手段１１に対応して当該回転軸１３に配設された複数のドラム１４、搬送ライン１７（ギャザリングチェーン）及び該搬送ライン状に設けられた鞍（図示せず）、等から構成されている。回転軸１３が回転駆動されると、各丁合駒１０−１〜ｎの折り丁載台１２に載置された折り丁が、ドラム１４の爪（図示せず）にて１部ずつ引き出されて搬送ライン１７の鞍上に落下する。  
落下した折り丁は、搬送されるに従い各丁合駒から順に上積みされて、丁合装置１０終端において当該複数の折り丁全てがページ順に積層された丁合束が形成される。
ここで、多数のページ数を丁合するための横型の丁合装置の場合は、そのページ数分の丁合駒が床に沿って連接されるので、装置の長さは非常に長くなる。
【００１７】
本発明の乱丁検査機（乱丁検査装置）２０は、図１に示すように、丁合駒毎に配置された駒乱丁検査部２０−１〜ｎと、該駒乱丁検査部２０−１〜ｎとネットワーク（Ｉ／Ｏ）を介して接続されたライン制御ユニット３０と、該ネットワーク（Ｉ／Ｏ）を介さない乱丁検査情報管理装置４０とから構成されている。
したがって、多数のページ数を丁合するための横型の丁合装置に適用される乱丁検査機の場合、つまり上記ｎが大きな数値となる場合には、その丁合装置と同様に、機長は非常に長くなる。
【００１８】
このうち、各駒乱丁検査部２０−ｎは、図４に示すように、折丁を撮像する撮像手段２１と、該撮像手段２１からの撮像画像と、予め登録しておいた正規の標準画像データとを対比して乱丁を検出する画像処理部２１ａと、折丁の撮像画像や画像処理部２１ａからの乱丁検査情報を表示するためのＬＣＤ(液晶表示装置)２２ａと、該ＬＣＤ２２ａのバックライトの電源をＯＮ−ＯＦＦするバックライトスイッチ２２ｄと、各丁合駒装置１０−１〜ｎにおけるＱ値等を設定したり、乱丁が連続して何枚発生したら丁合装置を停止するか等を当該駒乱丁検査部２０−１〜ｎに設定したりするための入力設定手段２２ｂと、該入力設定手段２２ｂにそれぞれ配置されて、該入力設定手段２２ｂの操作状況を表示するＬＥＤ表示器（発光素子）２２ｃと、検査情報を記憶する検査情報記憶手段２２ｅと、当該丁合駒装置１０−１〜ｎや当該駒乱丁検査部２０−１〜ｎの機器情報（例えば、ＩＤ情報）を記憶する機器情報記憶手段２２ｆと、それら各手段２２ａ〜ｆおよび当該丁合駒装置を制御すると共に、乱丁検査機２０全体を制御するライン制御ユニット３０との間でネットワーク（Ｉ／Ｏ）を介して制御信号や乱丁検査情報を入出力する駒制御手段２２ｋと、を有している。
そして、この駒制御手段２２ｋには、ＬＥＤ表示器（発光素子）２２ｃの点滅制御をするＬＥＤ点滅制御手段２２ｋ’と、バックライトスイッチ２２ｄをＯＮ−ＯＦＦ制御するバックライトスイッチ制御手段２２ｋ’’（図示せず）が設けられている。
【００１９】
そして、これらＬＣＤ(液晶表示装置)２２ａ、入力設定手段２２ｂ、ＬＥＤ表示器（発光素子）２２ｃ、バックライトスイッチ２２ｄ、検査情報記憶手段２２ｅ、機器情報記憶手段２２ｆ、駒制御手段２２ｋ、ＬＥＤ点滅制御手段２２ｋ’、バックライトスイッチ制御手段２２ｋ’’は、筐体に収納されて、図２に示すようなモニター装置２２を構成している。
したがって、該モニター装置２２は各丁合駒毎に配置されることとなり、特に、頁数の多い横型の丁合機・製本機に適用する場合には、モニター装置２２もその長い全長に亘り配置されることとなる。
そのため、丁合作業者は、長い距離に亘って配置されたこれらモニター装置２２を観察操作しながら、丁合作業を進めることとなる。
【００２０】
このモニター装置２２の外観について説明する。
図２に示すように、モニター装置２２の筐体上部には、当該丁合駒装置が強制停止されるなどの丁合駒装置に緊急状態が発生したことを報知するパトライト２２ｇが配置され、該筐体正面には、ＬＣＤ(液晶表示装置)２２ａとともに操作パネルが配置されている。そして、該操作パネルには、各種の入力設定手段２２ｂ、該入力設定手段に対応したＬＥＤ表示器（発光素子）２２ｃ、およびバックライトスイッチ２２ｄが配置されている。
該バックライトスイッチ２２ｄによって、ＬＣＤ(液晶表示装置)２２ａの背後に配置されたバックライト（図示せず）が、液晶表示の駆動とは関係なくＯＮ―ＯＦＦされるように構成されている。
また、ＬＣＤ(液晶表示装置)２２ａには、撮像手段からの折丁画像や予め入力された標準画像等が表示される画像表示領域と、その表示部の一部（図２では、画面の右側）に、設定情報や検査情報を表示する検査情報表示領域２２ａ’が設けられている。
さらに、操作パネルに配置された入力設定手段２２ｂの内、検査モードを設定するための入力設定手段２２ｂ’は、６個の検査モード設定スイッチから構成されており、それぞれにＬＥＤ表示器（発光素子）２２ｃが配置されている。
このＬＥＤ表示器（発光素子）２２ｃは、図２の右側の拡大図に示すように、上下段にそれぞれ３個の発光素子２２ｃ−１ａ〜ｃ、２２ｃ−２ａ〜ｃが配置され、入力設定手段２２ｂ’の操作に同期して（より具体的には、入力設定手段２２ｂ’を構成するスイッチの押圧に同期して）、所定の短時間点灯するように構成されている。したがって、当該入力設定手段２２ｂ’の操作に伴って対応する発光素子２２ｃ−１ａ〜ｃ、２２ｃ−２ａ〜ｃが点灯することにより、当該入力設定手段２２ｂ’の操作を確認することができる。
【００２１】
つぎに、ライン制御ユニット３０は、複数の駒乱丁検査部２０−１〜ｎにネットワーク（Ｉ／Ｏ）を介して接続し、１台であるいは最小限の台数で乱丁検査装置２０の制御をするものである。
該ライン制御ユニット３０は、図４に示すように、各丁合駒に共通する標準時刻を供給する標準時刻供給手段３０ｂ（タイムサーバ３０ｂ−１及び電波時計３０ｂ−２）、各丁合駒装置１０−１〜ｎ毎の駒制御手段２２ｋへ各種設定情報を入力する入力操作手段３０ｄ、該入力操作手段３０ｄによる入力操作や各乱丁検査装置２０の稼働状態等を表示する表示手段３０ｃ、各駒乱丁検査部２０−１〜ｎからの検査情報を集計し分析するエラー集計・分析手段３０ｅ、該エラー集計・分析手段３０ｅによって集計・分析された丁合管理情報を記憶し、オフラインに持ち出すことができる携帯型メモリ３０ｆ、およびスターター１５からのスタート信号３１、エンコーダー３２からのパルス信号及び入力操作手段３０ｄからの入力信号等を受けてライン制御ユニット３０を制御するメイン制御手段３０ａを有している。
さらに、該メイン制御手段３０ａは、丁合駒装置１０―１〜ｎに乱丁エラーが発生して対応する駒乱丁検査部２０−１〜ｎからエラーの乱丁検査情報（乱丁発生情報）が入力された場合に、丁合装置１０全体を自動停止したり、入力操作手段３０ｄによる設定情報に基づき、駒乱丁検査部２０−１〜ｎに対し設定情報を出力したり、或いは丁合装置１０におけるストップスイッチを操作者が操作した場合に丁合装置全体を強制停止したりする機能を備えている。
【００２２】
つぎに、乱丁検査情報管理装置４０は、図１および図４に示すように、前記駒乱丁検査部２０―１〜ｎおよびライン制御ユニット３０とはオフラインに設けられている。
該乱丁検査情報管理装置４０は、駒乱丁検査部２０―１〜ｎに設けられる携帯型メモリ（図示せず）やライン制御ユニット３０に設けられる携帯型メモリ３０ｆに記憶されている各種の丁合管理情報を読み込んで、それらのデータを分析、保存する機能と、それらを適宜読み出して表示することができる機能を有している。
【００２３】
以上のように構成された、本発明の乱丁検査機２０の動作について、以下説明する。
丁合装置１０の各丁合駒装置１０―１〜ｎでの折丁は、それぞれに対応する駒乱丁検査部２０−１〜ｎの撮像手段２１により撮像され、その撮像画像は画像処理部２１ａで画像処理されて、予め記憶しておいた標準画像と対比され、乱丁と判断された場合には、その検査情報は、機器情報記憶手段２２ｆに記憶されている機器情報が付加された上で、駒制御手段２２ｋを経て、検査情報記憶手段２２ｅに記憶されると共にライン制御ユニット３０に出力される。
メイン制御手段３０ａは、その検査情報および機器情報に基づいて、丁合装置１０に対する制御信号を出力する。例えば、乱丁状態が当該駒乱丁検査部２０−１〜ｎに設定されている許容設定を越えて発生している場合には、ネットワーク（Ｉ／Ｏ）を介して、丁合装置１０全体を停止する制御信号が出力される。
また、それら検査情報および機器情報は、エラー集計・分析手段３０ｅによってエラー状況を分析されて、その分析結果は携帯型メモリ３０ｆに保存記憶される。
この携帯型メモリ３０ｆに記憶された分析結果は、ネットワーク（Ｉ／Ｏ）を介さずにオフラインで設けられている乱丁検査情報管理装置４０によって、更に詳細に分析される。
【００２４】
ここで、図１および図４に示すように、スターター１５は、ドラム１４の一回転毎にスタート信号３１を発生させるものであり、駒制御手段２２ｋにおいて、メイン制御手段３０ａを通して供給される該スタート信号３１をカウントアップすることにより、乱丁が発生した場合の駒乱丁検査部２０−１〜ｎにおける当該折り丁の特定が可能となる。
また、エンコーダー３２はドラム１４の回転に同期してパルス信号を発生するものであり、該パルス信号により、折り丁収納手段１１に対するドラム１４上に設けられた爪の基準位置（回転角度位置）が設定される。
【００２５】
そして、図３に示すように、スタート信号３１が発生されるタイミングでパルスカウントが開始され、所定のカウントウェイト期間Ａを経たところで、折丁１に対して照明用ＬＥＤ（図示せず）を５０ｍｓ点灯して折丁画像を撮像し、所定のタイミングで、その折丁１の撮像画像を画像処理部２１ａに取り込み、基準画像との乱丁判定を行う（期間Ｂ）。
その判定結果は、駒制御手段２２ｋに出力されて、検査情報記憶手段２２ｅに記憶される（期間Ｃ）。
ここで、折丁１の検査結果は、ＬＣＤ(液晶表示装置)２２ａの表示画面の右側の検査情報表示領域２２ａ’にデータ表示される。
次の折丁２についても、折丁１と同一のタイミングでの乱丁検査が行われ、その検査結果が、同様に、該ＬＥＤ表示器（発光素子）２２ｃ―１ａを用いて表示される。
【００２６】
ここで、駒制御手段２２ｋは、内蔵するバックライトタイマーによって操作パネル上の入力設定手段２２ｂがいずれも所定時間（例えば１分間）操作されないことを検知した場合には、バックライトスイッチ２２ｄにバックライト消灯信号を出力する。これにより、バックライトスイッチ２２ｄは強制的にＯＦＦ制御される。
一方、バックライトが消灯している場合には、操作パネル上のいずれかの入力設定手段２２ｂが操作されると、あるいは丁合エラーが発生して丁合装置１０が停止すると、丁合エラーが発生した丁合駒のモニター装置２２における駒制御手段２２ｋはバックライトスイッチ２２ｄにバックライト点灯信号を出力し、当該モニター装置２２におけるバックライトスイッチ２２ｄは強制的にＯＮ復帰するように構成されている。このように入力設定手段２２ｂが操作される場合には、１回目のボタン操作でバックライトが点灯し、２回目以降のボタン操作で入力が可能とされる。
【００２７】
このようにバックライトが消灯した場合には、当然ながら、モニター装置２２の検査情報表示領域２２ａ’における検査結果の表示も、作業者には観測できなくなる。
そこで本発明では、この検査結果の表示を、操作パネル上の入力設定手段２２ｂのうちの検査モード設定手段２２ｂ’に対応して配置された６個のＬＥＤ表示器（発光素子）２２ｃ―１ａ〜ｃ、２２ｃ−２ａ〜ｃ（図２）を用いた点滅表示によって行う。
【００２８】
ここで、折丁画像情報と標準画像情報とを対比した際の一致率が、９０％を越える場合（図６において、＜＜Ａ＞＞で示す。正常に丁合されたと判断される状態。）には、これら上下２段に配置された６個の発光素子２２ｃ―１ａ〜ｃ、２２ｃ−２ａ〜ｃが、矢印で示すように、右上から左下に向かって点灯状態が流れるように点滅制御される。なお、○表示が点灯状態を、●表示が消灯状態を示す。
また、一致率が８０〜８９％の場合（図６において、＜＜Ｂ＞＞で示す。丁合状態は設定された許容範囲にあるが、注意すべき状態。）には、６個の発光素子２２ｃ―１ａ〜ｃ、２２ｃ−２ａ〜ｃが、矢印で示すように、左上から右下に向かって点灯状態が流れるように点滅制御される。
さらに、一致率が７９％以下の場合（図６において、＜＜Ｃ＞＞で示す。丁合が正常でなかった状態。）には、６個の発光素子２２ｃ―１ａ〜ｃ、２２ｃ−２ａ〜ｃが、矢印で示すように、左下から右上に向かって点灯状態が流れるように点滅制御される。
この際、発光素子の点灯時間がそれぞれ４０ｍｓになるように制御され、順次その時間間隔で次の発光素子が点灯するよう制御される。このようなサイクリックな点滅制御が、ＬＥＤ点滅制御手段２２ｋ’により行われる。
１枚の折丁の検査が終了し、次の折丁検査のためのスタート信号３１がＬＥＤ点滅制御手段２２ｋ’に入力されると、前記したサイクリックな点滅制御がリセットされ、次の折丁の検査結果がＬＥＤ点滅制御手段２２ｋ’に入力するまで、初期表示位置（全発光素子が消灯される位置、あるいは、２２ｃ−１ａのみが点灯する位置）で待機する。
【００２９】
次に、このように構成された丁合検査機２０の制御フローについて、図５を用いて説明する。
操作パネル上の入力設定手段２２ｂの操作（Ｓ１）がされない場合には、駒制御手段２２ｋのバックライトタイマーが更新される（Ｓ２）。
ここで、スターター１５からの信号が入力されると（Ｓ３）、図３に示すように、画像取込処理と画像比較処理が行われ（Ｓ４）、一致率判定処理が行われる（Ｓ５）。
この判定結果を、当該丁合駒装置１０―１〜ｎの駒乱丁検査部２０―１〜ｎに設定された許容値、例えば許容される連続エラー枚数や一致率の大きさ等と対比し（Ｓ６）、その許容範囲からはずれている場合（Ｓ６、Ｎ）には、アラーム音を発生させるなどのエラー処理を行う（Ｓ１０）。このエラー処理に続き、バックライトの点灯（Ｓ１１）と、パトライト２２ｇの点灯や「ランクＣ」での発光素子の点滅表示が行われる（Ｓ１２）。このような状態となった場合には、丁合作業者は、エラー表示をされた丁合駒装置を特定して、そのエラー解除処理（Ｓ１４）を行う。
一致率判定処理（Ｓ５）において、当該駒乱丁検査部２０―１〜ｎに設定された乱丁許容値の範囲内にある場合（Ｓ６、Ｙ）には、バックライトが点灯していれば（Ｓ７、Ｙ）ＬＣＤ表示部２２ａの検査情報表示領域２２ａ’に検査結果をデータ表示する（Ｓ９）。バックライトが点灯していない場合には、発光素子２２ｃを点滅制御して一致率のランク別表示（「ランクＡ」または「ランクＢ」）を行う（Ｓ８）。この場合には、エラー解除の必要がないので（Ｓ１３、Ｎ）、エラー解除作業をすることなく、次の折丁に対する検査が継続される。
【００３０】
Ｓ１で操作パネル上の入力設定手段２２ｂの操作がされると、その時点でバックライトタイマーがリセットされ（Ｓ２１）、バックライトが消灯されている場合（Ｓ２２、ＯＦＦ）には、バックライトを点灯し（Ｓ２４）、その時点でバックライトタイマーがスタートされる。バックライトが点灯している場合には（Ｓ２２、ＯＮ）、入力設定手段２２ｂの操作内容か否かが判断されて（Ｓ２３）、その操作に基づき当該駒乱丁検査部における設定変更処理や履歴表示処理等が行われ（Ｓ２５）、その時点でバックライトタイマーがセットされる（Ｓ２６）。
【００３１】
本発明は、上記のように構成されることにより、バックライト消灯時には、イルミネーション的に設定モードのＬＥＤを点滅させて、バックライト消灯時の検査状態を視認し易くすることができるので、モニター装置２２の消費電力を小さくすることが可能となると共に、誤操作(エラーレベルや検査モードの設定ミス)又は、設定変更操作及び履歴表示操作による検査中断状態、機械調整不備（スタータセンサのズレ）等による未検査状態となった場合には、それを丁合装置１０の操作者に確実に認識させることができるので、製本作業が継続され、折丁の乗せ間違え等により、本来エラーとして検出される事象があっても未検査状態となっていることに気付かずに不良品を良品として扱うような事態を確実に回避することができる。
また、スターター信号に同期して、所定のタイミングで点滅制御を行う為、検査が更新されていることが分かる。
また、検査結果を示す一致率にランクを設け、リアルタイムで一致の度合いを報知する為、ズレやブレ、明るさの変化等で一致率が変動している(検査中である)ことを容易に把握出来る。
さらに、専用の表示器を設けることなく、設定操作及び設定モードを表示するＬＥＤ表示器を利用して乱丁検査結果を作業者に視認させることができるし、ＬＥＤ表示素子の消費電力はバックライトを点滅する場合の消費電力に比し無視できるほど小さいので、モニター装置をコンパクトかつ安価に構成することができる。
【００３２】
なお、本発明は上述した実施形態に限定されることはなく、特許請求の範囲に記載された発明の技術思想の範囲で様々な変形が可能である。変形例としては、例えば以下のものがある。
（１）上述した実施形態では、バックライトスイッチ２２ｄのバックライトタイマーによって、操作パネル上の入力設定手段２２ｂが所定時間（例えば１分間）操作されない場合に、バックライト消灯信号を出力することによりバックライトスイッチを強制的にＯＦＦ制御する、いわゆる自動モードを有しているが、図２に示すように、バックライトスイッチ２２ｄをモニター装置２２の操作パネル上に設けることにより、作業者がバックライトのＯＮ−ＯＦＦを任意に行うことができるように、いわゆる手動モードを付加することもできる。このように構成した場合でも、操作パネル上の入力設定手段２２ｂの操作により、あるいは丁合エラーの発生により、自動的にＯＮ復帰するように構成される。
【００３３】
（２）上記の実施形態例では、モニター装置２２の操作パネル上に設けられる入力設定手段２２ｂのうち、検査モード設定手段２２ｂ’に配置された発光素子を、乱丁検査機の検査結果を反映するよう点滅制御される発光素子として用いたが、この検査モード設定手段２２ｂ’に配置された発光素子に限らず、他の入力設定手段２２ｂに配置された発光素子２２ｃを用いることもできる。
【００３４】
（３）上記の実施形態例では、発光素子の点滅制御により乱丁検査結果を報知したが、発光素子の輝度変化や、発光素子が発色変化を伴うように制御することによって検査結果を表示するように構成することもできる。また、これらの組み合わせによって表示するように構成することもできる。
例えば、上記と同様に、一致率Ａの場合には、発光素子を緑色点灯、一致率Ｂの場合には橙色点灯、一致率Ｃの場合には赤色点灯とし、更にエラー状態が発生した場合には点滅間隔の短い点滅表示とするなどによって、検査結果を丁合作業者に認識させることができる。
【００３５】
（４）上記の実施形態例では、バックライトが点灯している際の検査結果の表示を、ＬＣＤ表示部２２ａの検査情報表示領域２２ａ’において行ったが、この検査情報表示領域２２ａ’における表示とともに、入力設定手段２２ｂに対応して配置されたＬＥＤ表示器（発光素子）２２ｃ（本実施の形態例では、図６に示すように、検査モード設定手段２２ｂ’に配置されたＬＥＤ表示器（発光素子）２２ｃ―１ａ）を点滅制御することにより表示しても良い。その場合、図６に示すように、通常の検査中では、該ＬＥＤ表示器（発光素子）２２ｃが点滅制御されるのに対し、丁合エラーが発生した場合には、それが早い点滅に切り替えられるように表示する。
このように、ＬＥＤ表示器（発光素子）２２ｃを用いる表示を併せて行うことにより、丁合作業者が当該モニター装置２２ｄから距離的に離れていても、輝度が比較的高いＬＥＤ表示器（発光素子）２２ｃによる点滅を観測することができるので、丁合結果の認識が一定程度可能となり、好ましい。
【００３６】
（５）上記の実施形態例では、丁合状態の表示を３段階（Ａ〜Ｃ）によって行ったが、この区分数は、適宜設定することができる。また、その際の各区分における一致率の範囲の設定も、適宜設定することができる。
【符号の説明】
【００３７】
１０    丁合装置
１０−１〜ｎ  丁合駒装置
１５    スターター
２０    乱丁検査装置（丁合検査機）
２０−１〜ｎ  駒乱丁検査部
２１    撮像手段（撮像装置）
２１ａ  画像処理部（丁合画像処理部）
２２    モニター装置
２２ａ  ＬＣＤ表示部
２２ａ’検査情報表示領域
２２ｂ  入力設定手段
２２ｃ  ＬＥＤ表示器（発光素子）
２２ｄ  バックライトスイッチ
２２ｋ  駒制御手段
２２ｋ’ＬＥＤ点滅制御手段
３０  ライン制御ユニット
３０ａメイン制御手段
３１  スタート信号
３２  エンコーダ
【図１】
0005555862.tif 000002
【図２】
0005555862.tif 000003
【図３】
0005555862.tif 000004
【図４】
0005555862.tif 000005
【図５】
0005555862.tif 000006
【図６】
0005555862.tif 000007